(57)【要約】【課題】  本発明は、画質調整の度合いをユーザの嗜好に合わせながら容易に行い得る映像処理装置及び映像処理方法を実現しようとするものである。【解決手段】  供給される映像信号に基づく映像に所定の映像処理を施す映像処理装置及び映像処理方法において、映像を形成する各フレーム画像ごとに、当該各フレーム画像に対して複数系統でそれぞれ画像変換処理を行った後、複数系統の画像変換処理の結果として順次得られる処理画像を、当該複数の処理画像の全部又は一部が全て表示画面内に同時に収まるようにフレーム単位で順次表示し、表示画面に同時に映像表示される複数の処理画像のうち、外部操作によりいずれかの処理画像が指定され、当該指定された処理画像について画質調整の度合いを表すボリューム値が決定されると、当該処理画像に対して決定されたボリューム値に設定して画質調整した後、表示画面にフレーム単位で順次表示させるようにした。【選択図】        図１
2005328395.tif 000002
【特許請求の範囲】
【請求項１】
供給される映像信号に基づく映像に所定の映像処理を施す映像処理装置において、
上記映像を形成する各フレーム画像ごとに、当該各フレーム画像に対して複数系統でそれぞれ画像変換処理を行う複数の画像変換処理手段と、
上記複数の画像変換処理手段からそれぞれ上記画像変換処理の結果として順次得られる処理画像を、当該複数の処理画像の全部又は一部が全て表示画面内に同時に収まるようにフレーム単位で順次表示する映像表示手段と、
上記映像表示手段に同時に映像表示される複数の上記処理画像のうち、外部操作によりいずれかの上記処理画像を指定すると共に、当該指定された処理画像の画質調整の度合いを表すボリューム値を決定するための操作入力手段と、
上記操作入力手段を介して指定された上記処理画像を、当該処理画像に対して決定された上記ボリューム値に設定して画質調整した後、上記映像表示手段に上記フレーム単位で順次表示させる表示設定手段と
を具えることを特徴とする映像処理装置。
【請求項２】
上記表示設定手段は、
複数種類の画質調整が可能なボリューム空間において、当該各画質調整の度合いを表すボリューム値のうち、上記操作入力手段を介して決定された各上記ボリューム値の回数を頻度として記憶する記憶手段を有し、
上記操作入力手段を介して所望の各上記ボリューム値が決定されたとき、上記記憶手段から当該各ボリューム値の頻度を読み出して、当該頻度が高いほど各上記ボリューム値のステップ幅を細かく設定する一方、当該頻度が低いほど各上記ボリューム値のステップ幅を荒く設定する
ことを特徴とする請求項１に記載の映像処理装置。
【請求項３】
上記表示設定手段は、
複数種類の画質調整が可能なボリューム空間において、当該各画質調整に対応する上記ボリューム値を変化させるための複数の調整軸からなる多次元座標系を複数の領域に分割しておき、当該各領域の代表点における各上記ボリューム値に設定して画質調整し、
上記映像表示手段は、
各上記ボリューム値でそれぞれ画質調整された上記複数の処理画像を上記表示画面に同時に順次表示し、
上記複数の処理画像のうちいずれかの上記処理画像が上記操作入力手段を介して指定されるごとに、当該処理画像に該当する上記領域をさらに複数分割して上記多次元座標系内の領域を狭めるようにして各上記ボリューム値を収束させる
ことを特徴とする請求項１に記載の映像処理装置。
【請求項４】
上記映像を形成する各フレーム画像ごとに特徴量を順次抽出する特徴量抽出手段と、
複数種類の画質調整が可能なボリューム空間において、当該各画質調整の度合いを表すボリューム値のうち、上記操作入力手段を介して決定された各上記ボリューム値の回数を頻度として記憶する記憶手段と、
上記特徴量抽出手段から抽出された各上記フレーム画像の上記特徴量と、上記記憶手段に記憶されている各上記ボリューム値とに基づく規則性を判断する判断手段と
を具え、
上記判断手段は、上記規則性に基づいて、上記記憶手段から上記特徴点に対応する各上記ボリューム値を選択的に読み出す
ことを特徴とする請求項１に記載の映像処理装置。
【請求項５】
供給される映像信号に基づく映像に所定の映像処理を施す映像処理方法において、
上記映像を形成する各フレーム画像ごとに、当該各フレーム画像に対して複数系統でそれぞれ画像変換処理を行う第１のステップと、
上記複数系統の画像変換処理の結果として順次得られる処理画像を、当該複数の処理画像の全部又は一部が全て表示画面内に同時に収まるようにフレーム単位で順次表示する第２のステップと、
上記表示画面に同時に映像表示される複数の上記処理画像のうち、外部操作によりいずれかの上記処理画像が指定され、当該指定された処理画像について画質調整の度合いを表すボリューム値が決定されると、当該処理画像に対して決定された上記ボリューム値に設定して画質調整した後、上記表示画面に上記フレーム単位で順次表示させる第３のステップと
を具えることを特徴とする映像処理方法。
【請求項６】
上記第３のステップでは、
複数種類の画質調整が可能なボリューム空間において、当該各画質調整の度合いを表すボリューム値のうち、上記操作入力手段を介して決定された各上記ボリューム値の回数を頻度として記憶しておき、
所望の各上記ボリューム値が決定されたとき、上記記憶された当該各ボリューム値の頻度を読み出して、当該頻度が高いほど各上記ボリューム値のステップ幅を細かく設定する一方、当該頻度が低いほど各上記ボリューム値のステップ幅を荒く設定する
ことを特徴とする請求項５に記載の映像処理方法。
【請求項７】
上記第３のステップでは、
複数種類の画質調整が可能なボリューム空間において、当該各画質調整に対応する上記ボリューム値を変化させるための複数の調整軸からなる多次元座標系を複数の領域に分割しておき、当該各領域の代表点における各上記ボリューム値に設定して画質調整し、
各上記ボリューム値でそれぞれ画質調整された上記複数の処理画像を上記表示画面に同時に順次表示し、
上記複数の処理画像のうちいずれかの上記処理画像が指定されるごとに、当該処理画像に該当する上記領域をさらに複数分割して上記多次元座標系内の領域を狭めるようにして各上記ボリューム値を収束させる
ことを特徴とする請求項５に記載の映像処理方法。
【請求項８】
複数種類の画質調整が可能なボリューム空間において、当該各画質調整の度合いを表すボリューム値のうち決定された各上記ボリューム値の回数を頻度として記憶しておき、上記映像を形成する各フレーム画像ごとに順次抽出された特徴量と、上記記憶されている各上記ボリューム値とに基づく規則性を判断した後、当該規則性に基づいて、上記特徴点に対応する各上記ボリューム値を選択的に読み出す第４のステップ
を具えることを特徴とする請求項５に記載の映像処理方法。
【発明の詳細な説明】
【技術分野】
【０００１】
本発明は映像処理装置及び映像処理方法に関し、例えばテレビ受信機等の映像表示装置に適用して好適なものである。
【背景技術】
【０００２】
従来、この種の映像表示装置においては、受信した放送信号から得られる標準テレビジョン（ＳＤ：Standard Definition）信号を、例えばクラス分類適応処理などの画像変換処理を用いてハイビジョン（ＨＤ：High Definition）信号にアップコンバートするものが提案されている。
【０００３】
かかるクラス分類適応処理では、入力されるＳＤ画像を予め生成した所定の係数に基づいて、例えば空間方向により高解像度のＨＤ画像を生成するようになされている。そして従来では、ボリューム構造をもつクラス分類適応処理の回路を利用して、ユーザが解像度調整用やノイズ抑制用等の画質調整用のボリューム軸を操作して調整できる映像表示装置が提案されている（例えば特許文献１参照）。
【０００４】
また、クラス分類適応処理において、予めユーザによる操作履歴をメモリに記憶しておき、ユーザが解像度やノイズ抑制量の画質調整を行う際に、当該画質調整用のボリューム値を調整するにあたって、メモリから操作履歴を読み出して解析することにより、当該操作履歴を画像処理に反映させるようになされた映像表示装置が提案されている（例えば特許文献２参照）。
【特許文献１】特開２００２−２１８４１４公報
【特許文献２】特開２００３−２２４８３０公報
【発明の開示】
【発明が解決しようとする課題】
【０００５】
ところで、この映像表示装置では、クラス分類適応処理回路を単一構成で使用するか、又はクラス分類適応処理回路のＬＳＩ（large-scale integration）チップを単体で使用するか以外は採用しておらず、ユーザが所望の画質となるようにボリューム値を調整した後に当該調整後の画像をその都度表示するようになされている。
【０００６】
このためユーザは調整前のボリューム値で処理された画像と、調整後のボリューム値で処理された画像とを一度に同時に目視確認することが不可能であるため、当該調整前の画像と比較して調整後の画像の方が所望の解像度に近いか否かを判断するのが非常に困難であった。
【０００７】
実際、人間は、双方の比較対象を同時に直接対比する方がその優劣を判断し易いため、調整前後の画像を別個に表示する方法は、人間の視覚特性に合致するものとは言い得ない。
【０００８】
さらに調整前と調整後の双方の処理画像を時間的にずらして別個に表示する方法では、ユーザがボリューム値を所望の値に調整した後に再び調整前の値に戻そうとするときでも、調整するごとにリアルタイムに画像が変化するため、調整前のボリューム値に正確に戻すことは困難になる場合が多かった。特に、ボリューム値の調整が誤動作により変化したり、又はユーザの意思で調整したものの複数回に亘って調整したために調整前のボリューム値を忘れたりした場合には、非常に困難であった。
【０００９】
かかる問題を解決すべく、上述した特許文献２のようなユーザによる操作履歴を画像処理に反映させる方法によると、当該操作履歴を一律に用いた場合には不具合が生じるおそれがある。すなわち、上述のようにボリューム値の調整が誤動作により変化した場合や、ユーザの意思で調整したものの複数回に亘って調整して途中で止めた場合であっても、それらの事例がユーザの意思で決定された操作履歴としてメモリに保存されるため、結果的にユーザにとって不要な操作履歴を解析して画像処理に反映させることとなるからである。
【００１０】
このようにクラス分類適応回路を単一構成で使用する場合や、クラス分類適応処理回路のＬＳＩチップを単体で使用する場合には、処理画像を生成してリアルタイムで画面表示させるにあたって、ユーザの使い勝手が悪く、かつユーザ履歴の解析が煩雑になることから実用上未だ困難な問題があった。
【００１１】
本発明は以上の点を考慮してなされたもので、画質調整の度合いをユーザの嗜好に合わせながら容易に行い得る映像処理装置及び映像処理方法を提案しようとするものである。
【課題を解決するための手段】
【００１２】
かかる課題を解決するため本発明においては、供給される映像信号に基づく映像に所定の映像処理を施す映像処理装置において、映像を形成する各フレーム画像ごとに、当該各フレーム画像に対して複数系統でそれぞれ画像変換処理を行う複数の画像変換処理手段と、複数の画像変換処理手段からそれぞれ画像変換処理の結果として順次得られる処理画像を、当該複数の処理画像の全部又は一部が全て表示画面内に同時に収まるようにフレーム単位で順次表示する映像表示手段と、映像表示手段に同時に映像表示される複数の処理画像のうち、外部操作によりいずれかの処理画像を指定すると共に、当該指定された処理画像の画質調整の度合いを表すボリューム値を決定するための操作入力手段と、操作入力手段を介して指定された処理画像を、当該処理画像に対して決定されたボリューム値に設定して画質調整した後、映像表示手段にフレーム単位で順次表示させる表示設定手段とを設けるようにした。
【００１３】
この結果この映像処理装置では、ユーザが容易に双方を同時に直接対比しながら画質調整を行うことができ、かくしてユーザは効率良くボリューム値の調整による画質調整を行うことができると共に、ユーザが個別の最も良いと判断した画質に対応するボリューム値を容易に見つけ出すことができる。
【００１４】
また本発明においては、この映像処理装置に加えて、表示設定手段は、複数種類の画質調整が可能なボリューム空間において、当該各画質調整の度合いを表すボリューム値のうち、操作入力手段を介して決定された各ボリューム値の回数を頻度として記憶する記憶手段を有し、操作入力手段を介して所望の各ボリューム値が決定されたとき、記憶手段から当該各ボリューム値の頻度を読み出して、当該頻度が高いほど各ボリューム値のステップ幅を細かく設定する一方、当該頻度が低いほど各ボリューム値のステップ幅を荒く設定するようにした。
【００１５】
この結果この映像処理装置では、ユーザがボリューム値の調整するための所定操作を行うごとに、比較的短時間で画質調整の度合いを表すボリューム値をユーザが所望する値に近づけることができると共に、当該所望する値の近傍では微調整することができる。
【００１６】
さらに本発明においては、供給される映像信号に基づく映像に所定の映像処理を施す映像処理方法において、映像を形成する各フレーム画像ごとに、当該各フレーム画像に対して複数系統でそれぞれ画像変換処理を行う第１のステップと、複数系統の画像変換処理の結果として順次得られる処理画像を、当該複数の処理画像の全部又は一部が全て表示画面内に同時に収まるようにフレーム単位で順次表示する第２のステップと、表示画面に同時に映像表示される複数の処理画像のうち、外部操作によりいずれかの処理画像が指定され、当該指定された処理画像について画質調整の度合いを表すボリューム値が決定されると、当該処理画像に対して決定されたボリューム値に設定して画質調整した後、表示画面にフレーム単位で順次表示させる第３のステップとを設けるようにした。
【００１７】
この結果この映像処理方法では、ユーザが容易に双方を同時に直接対比しながら画質調整を行うことができ、かくしてユーザは効率良くボリューム値の調整による画質調整を行うことができると共に、ユーザが個別の最も良いと判断した画質に対応するボリューム値を容易に見つけ出すことができる。
【００１８】
さらに本発明においては、この映像処理方法に加えて、複数種類の画質調整が可能なボリューム空間において、当該各画質調整の度合いを表すボリューム値のうち、操作入力手段を介して決定された各ボリューム値の回数を頻度として記憶しておき、所望の各ボリューム値が決定されたとき、記憶された当該各ボリューム値の頻度を読み出して、当該頻度が高いほど各ボリューム値のステップ幅を細かく設定する一方、当該頻度が低いほど各ボリューム値のステップ幅を荒く設定するようにした。
【００１９】
この結果この映像処理方法では、ユーザがボリューム値の調整するための所定操作を行うごとに、比較的短時間で画質調整の度合いを表すボリューム値をユーザが所望する値に近づけることができると共に、当該所望する値の近傍では微調整することができる。
【発明の効果】
【００２０】
上述のように本発明によれば、供給される映像信号に基づく映像に所定の映像処理を施す映像処理装置において、映像を形成する各フレーム画像ごとに、当該各フレーム画像に対して複数系統でそれぞれ画像変換処理を行う複数の画像変換処理手段と、複数の画像変換処理手段からそれぞれ画像変換処理の結果として順次得られる処理画像を、当該複数の処理画像の全部又は一部が全て表示画面内に同時に収まるようにフレーム単位で順次表示する映像表示手段と、映像表示手段に同時に映像表示される複数の処理画像のうち、外部操作によりいずれかの処理画像を指定すると共に、当該指定された処理画像の画質調整の度合いを表すボリューム値を決定するための操作入力手段と、操作入力手段を介して指定された処理画像を、当該処理画像に対して決定されたボリューム値に設定して画質調整した後、映像表示手段にフレーム単位で順次表示させる表示設定手段とを設けたことにより、ユーザが容易に双方を同時に直接対比しながら画質調整を行うことができ、かくして画質調整の度合いをユーザの嗜好に合わせながら容易に行い得る映像処理装置を実現できる。
【００２１】
さらに本発明においては、供給される映像信号に基づく映像に所定の映像処理を施す映像処理方法において、映像を形成する各フレーム画像ごとに、当該各フレーム画像に対して複数系統でそれぞれ画像変換処理を行う第１のステップと、複数系統の画像変換処理の結果として順次得られる処理画像を、当該複数の処理画像の全部又は一部が全て表示画面内に同時に収まるようにフレーム単位で順次表示する第２のステップと、表示画面に同時に映像表示される複数の処理画像のうち、外部操作によりいずれかの処理画像が指定され、当該指定された処理画像について画質調整の度合いを表すボリューム値が決定されると、当該処理画像に対して決定されたボリューム値に設定して画質調整した後、表示画面にフレーム単位で順次表示させる第３のステップとを設けたことにより、ユーザが容易に双方を同時に直接対比しながら画質調整を行うことができ、かくして画質調整の度合いをユーザの嗜好に合わせながら容易に行い得る映像処理方法を実現できる。
【発明を実施するための最良の形態】
【００２２】
以下図面について、本発明の一実施の形態を詳述する。
【００２３】
（１）本実施の形態による映像表示装置の構成
図１において、１は本実施の形態における映像表示装置を示し、外部供給される映像信号Ｓ１に基づく映像に対して、フレーム単位で複数系統のクラス分類適応処理による種々の画像変換処理をそれぞれ順次施した後、これらの処理画像をフレーム画像として順次合成して映像表示するようになされている。
【００２４】
この映像表示装置１は、外部供給される映像信号Ｓ１を入力する映像入力部２と、当該映像入力部２から得られる映像をフレーム単位で複数系統の画像変換処理をそれぞれ施す信号処理部３と、当該信号処理部３から供給される各処理結果を一時的に蓄積して適切に合成するビデオメモリ部４と、当該ビデオメモリ部４から読み出した合成映像を表示画面に表示するディスプレイ部５とから構成されている。
【００２５】
また映像表示装置１は、外部のリモコン送信機６に対応する受信回路７を有し、当該リモコン送信機６からユーザの操作（例えば解像度調整やノイズ抑制などのボリューム値の調整等）に応じて出力されるリモートコントロール信号ＲＭを受信し、そのリモートコントロール信号ＲＭに対応する操作信号Ｓ２を信号処理部３内に設けられた総合判定部８に供給するようになされている。
【００２６】
このリモコン送信機６は、図２に示すように、全体として平板状の直方体でなる本体部６Ａを有し、表面には各種の機能が割り当てられた押下式のボタン群でなる操作部９が設けられており、上端面には映像表示装置１と同じ通信規格に準拠した無線通信ポート１０が設けられている。
【００２７】
この操作部９では、ボタン群として、下段中央にカーソルボタン９Ａが配置され、当該カーソルボタン９Ａの上段の右側及び左側には、各種の設定状態を決定するための決定ボタン９Ｂ及び当該設定状態を取り消すための取消ボタン９Ｃがそれぞれ配置されている。これら決定ボタン９Ｂ及び取消ボタン９Ｃの上段には、複数の数字ボタン９Ｄが所定パターンで配置されている。
【００２８】
このリモコン送信機６は、図３に示すように、ＣＰＵ１１と、操作部９と、フラッシュメモリ１２と、プログラム用のＲＯＭ（Read Only Memory）１３と、送信回路１４とがバス１５を介して接続された構成からなり、例えばボタン電池等でなるバッテリ（図示せず）が駆動源として内蔵されている。
【００２９】
ＣＰＵ１１は、ユーザによる操作部９の入力操作に応じて、フラッシュメモリ１２内に格納されている各種プログラムの中から対応するプログラムを読み出してこれをプログラム用ＲＯＭ１３に展開し、このプログラムに従って各種制御処理を実行する。また送信回路１４は、ＣＰＵ１１から送られるデータを無線通信ポート１０（図２）を介して発信する。
【００３０】
この映像表示装置１（図１）内の信号処理部３では、システム全体の制御を司る総合判定部８が、映像入力部２に供給される映像を順次フレーム画像として特徴量抽出部２０及び複数のクラス分類適応処理部２１（２１Ａ、２１Ｂ、２１Ｃ、２１Ｄ、…）にそれぞれ供給する。このうち特徴量抽出部２０は、順次供給されるフレーム画像から特徴量を抽出した後、総合判定部８に送出する。
【００３１】
ここで特徴量とは、フレーム画像の平均及び分散といった統計的な量や、自己相関、ダイナミックレンジ（ＤＲ）、ヒストグラム、さらにはフレーム画像中の任意の勾配以上のエッジの数等が挙げられる。
【００３２】
図１における映像表示装置１内の信号処理部３では、複数のクラス分類適応処理部２１は、総合判定部８の制御の下で、それぞれ順次供給されるフレーム画像に対して所定の画像変換処理を施した後、得られたフレーム画像（以下、これを単に処理画像と呼ぶ）を差分特徴量抽出部２２及びビデオメモリ部４と、それぞれ対応する特徴量抽出部２３（２３Ａ、２３Ｂ、２３Ｃ、２３Ｄ、…）とに順次供給する。
【００３３】
また差分特徴量抽出部２２は、各クラス分類適応処理部２１から順次供給される処理画像について、指定された２枚以上の処理画像間の差分特徴量を抽出した後、これを総合判定部８に供給する。ここで、差分特徴量とは、２枚以上の処理画像に対して互いの差分値における上述の特徴量や、各処理画像間の相関値等の特徴量を表す。
【００３４】
また総合判定部８は、受信回路７からリモコン送信機６の送信内容（すなわちユーザの操作内容）を受けると共に、各クラス分類適応処理部２１から対応する特徴量抽出部２３を介してリアルタイムで供給される各特徴量と、当該各クラス分類適応処理部２１から差分特徴量抽出部２２を介してリアルタイムで供給される各差分特徴量とを受け、さらに特徴量履歴保持部２４に保持されている過去の特徴量と、操作履歴保持部２５に保持されている操作履歴情報とを必要に応じて読み出し得るようになされている。
【００３５】
総合判定部８は、受信回路７を介して得られたリモートコントロール信号ＲＭに基づいて、ユーザによるリモコン送信機６の操作内容を判断し、解像度調整用やノイズ抑制用等の画質調整用のボリューム値の調整である場合には、当該ボリューム値を各クラス分類適応処理部２１にそれぞれ送出する一方、その他の処理画像の表示形態に関する設定内容の場合には、当該設定内容に応じた制御信号Ｓ３をビデオメモリ部４に送出する。
【００３６】
本実施の形態において、ユーザが調整可能なボリューム空間は、図４に示すように、解像度を変化させるための調整軸（以下、これを解像度軸と呼ぶ）を縦軸とし、ノイズ抑制量を変化させるための調整軸（以下、これをノイズ軸と呼ぶ）を横軸とする２次元座標系ＦＲで表すことができ、当該２次元座標系ＦＲ内でユーザにより調整された解像度及びノイズ抑制量のボリューム値を座標（以下、これを調整点と呼ぶ）ＡＤとして表すことができる。
【００３７】
かかる図４のようなボリューム空間を形成する２次元座標系ＦＲでは、解像度軸及びノイズ軸をそれぞれ256段階でボリューム値を調整することが可能であり、合計65536（＝256×256）段階の調整が可能である。
【００３８】
ユーザは、リモコン送信機６に搭載されたカーソルボタン９Ａを上下左右に操作することにより、当該操作に応じて調整点ＡＤを２次元座標系ＦＲ内の所望方向に自由に移動させることができ、この結果、当該調整点ＡＤの位置に応じて解像度及びノイズ抑制量の各ボリューム値を決定し得る。
【００３９】
具体的には調整点ＡＤが左右方向に移動されると、ノイズ抑制量を決定するボリューム値が調整される一方、調整点が上下方向に移動されると、解像度を決定するボリューム値が調整される。このようにユーザはリモコン送信機６のカーソルボタン９Ａを操作することにより、解像度及びノイズ抑制量を相関性を保ちながら互いに独立して自由にかつ容易に調整することができる。
【００４０】
また制御信号Ｓ３（図１）は、指定された処理画像を指定された位置に指定された拡大率又は縮小率で表示するかを表す情報や、入力されたフレーム画像のうち指定された部分だけを抽出するかを表す情報などである。
【００４１】
各クラス分類適応処理部２１は、順次供給されるフレーム画像に対して画像変換処理を行う際に、総合判定部８からそれぞれ与えられるボリューム値に基づいて画質調整（解像度調整及びノイズ抑制量調整）を施した後、当該画質調整後の処理画像をビデオメモリ部４に順次供給すると共に、差分特徴量抽出部２２及び対応する特徴量抽出部２３に再帰的に順次供給する。
【００４２】
総合判定部８は、各クラス分類適応処理部２１から順次供給される処理画像をビデオメモリ部４に一時的に記憶し、制御信号Ｓ３に基づく所定タイミングで当該ビデオメモリ部４から必要な処理画像を選択的に読み出して、これら各処理画像をユーザにより指定された表示形態（例えば画像の縮小、切出し又は張付け等）となるように合成して合成画像を生成する。
【００４３】
例えば図５（Ａ）に示すように、４個のクラス分類適応処理部２１Ａ〜２１Ｄから供給される処理画像ＰＡ〜ＰＤに対して、図５（Ｂ）に示すような合成画像ＰＭＸを生成することが可能である。すなわち４枚の処理画像ＰＡ〜ＰＤのうち、３枚の処理画像ＰＡ〜ＰＣはそれぞれ異なるボリューム値で解像度及びノイズ抑制量が調整された画像であり、処理画像ＰＤは他の処理画像ＰＡ〜ＰＣに比してサイズが縮小された画像である（図５（Ａ））。そして合成画像ＰＭＸは、処理画像ＰＡから左半分のみを切り出した画像と、処理画像ＰＢ及びＰＣからそれぞれ右上及び右下の４分の１部分を切り出した画像と、処理画像ＰＤを指定された比率で縮小して処理画像ＰＡに張り付けた画像とを合成したものである（図５（Ｂ））。
【００４４】
続いて総合判定部８は、ビデオメモリ部４において生成された合成画像を例えばＣＲＴ（cathode-ray tube）又はＬＣＤ（liquid crystal display）等からなるディスプレイ部５の表示画面に表示させる。
【００４５】
ここで各クラス分類適応処理部２１の内部構成を図６に示す。クラス分類適応処理部２１では、図示しない制御部が、供給される映像をフレーム単位で第１のフレームメモリ３０に一時的に記憶して順次フレーム画像としてマッピング部３１に送出する。
【００４６】
マッピング部３１は、クラス分類部３２、予測タップ取得部３３及び予測演算部３４から構成され、第１のフレームメモリ３０から供給されるフレーム画像をクラス分類部３２及び予測クラスタップ取得部３３にそれぞれ供給する。
【００４７】
クラス分類部３２は、供給されるフレーム画像のうち注目画像に対応する所定の数のクラスタップを取得するクラスタップ取得部３２Ａと、当該取得したクラスタップを基に所定数のクラスのうち１つのクラスに注目画素を分類してクラス番号を割り当てる波形分類部３２Ｂとから構成されている。
【００４８】
また予測タップ取得部３３は、クラス分類部３２内の波形分類部３２Ｂから与えられたクラス番号に基づいて、第１のフレームメモリ３０に記憶されているフレーム画像から、分類されたクラスに対応する所定数の予測タップを取得し、当該取得した予測タップ及びクラス番号を予測演算部３４に供給する。
【００４９】
この予測演算部３４は、クラス番号に基づいて係数セットメモリ３５に記憶されている係数セットから、当該クラスに対応する係数セットを取得した後、この係数セット及び予測タップに基づいて線形予測により予測画像の画素値を予測する。
【００５０】
かかる係数セットは、線形予測などにより高密度の画像を生成するための係数で構成され、画素値を予測するクラス分類適応処理において、指定された領域の画像に対応する予測画像を生成する際に使用される。このような係数セット及び入力画像からより高密度の画像等を生成する処理をマッピング処理と呼ぶ。
【００５１】
このようにして制御部（図示せず）は、予測演算部３４において予測される予測画像の画素値を第２のフレームメモリ３６に一時的に記憶し、当該予測された画素値が設定された解像度の高いフレーム画像を出力する。
【００５２】
（２）第１の実施の形態
（２−１）２画面表示によるボリューム値調整処理
ここで上述した図１に示す映像表示装置１においては、画質調整モードの選択時に、ユーザがリモコン送信機６を用いて解像度軸及びノイズ軸の各ボリューム値を相関性を保ちながら所望の値に調整する場合に、当該調整前及び調整後の映像（連続する処理画像）をリアルタイムでディスプレイ部５の表示画面に同時に表示させると共に、当該双方の映像を直接対比しながら画質調整を行い得るようになされている。
【００５３】
まずディスプレイ部５の表示画面に映像表示されている状態で、ユーザによるリモコン送信機６の操作により画質調整モードが選択されると、総合判定部８は、図７に示すボリューム値調整処理手順ＲＴ１をステップＳＰ０から開始し、続くステップＳＰ１において、このうちユーザによって解像度軸及びノイズ軸の各ボリューム値の調整のための操作入力がされるのを待った後、ステップＳＰ２に進む。
【００５４】
このステップＳＰ２では、総合判定部８は、複数のクラス分類適応処理部２１のうち特定の２個のクラス分類適応処理部（以下、これらを第１及び第２のクラス分類適応処理部と呼ぶ）２１Ａ、２１Ｂにおいて、第１のクラス分類適応処理部２１Ａでは調整前のボリューム値で画質調整を施した後に画像変換処理を行った処理画像（以下、これを調整前画像と呼ぶ）を得ると共に、第２のクラス分類適応処理部２１Ｂでは調整後のボリューム値で画質調整を施した後に画像変換処理を行った処理画像（以下、これを調整後画像と呼ぶ）を得る。
【００５５】
そして総合判定部８は、調整前画像及び調整後画像をビデオメモリ部４を介してそれぞれ１フレームの半分のサイズに切り取って合成した後、得られた合成画像をディスプレイ部５の表示画面に表示させる。
【００５６】
この合成画像の表示方法としては、図８（Ａ）〜（Ｄ）に示すように、入力されたフレーム画像Ｐ０（図８（Ａ））のうちの所定範囲の画像部分を２枚の同一画像でなる調整前画像Ｐ１及び調整後画像Ｐ２（図８（Ｂ））として同時に１フレームの合成画像Ｐ３として分割表示させる方法（以下、これを第１の表示方法と呼ぶ）（図８（Ｃ））と、入力されたフレーム画像Ｐ０と同じ画像を形成するように調整前画像Ｐ１及び調整後画像Ｐ２（図８（Ｂ））を半分ずつ組み合わせて合成画像Ｐ４として表示させる方法（以下、これを第２の表示方法と呼ぶ）（図８（Ｄ））とが挙げられる。
【００５７】
第１の表示方法の場合、同じ位置の画像を処理したものを同時に表示できるため、ユーザが双方の画像を比較し易いという利点があり、第２の表示方法の場合、入力画像の内容を各ボリューム値の調整の際にも欠落することなく（出力されない画像部分が存在することなく）ユーザが目視し得るという利点がある。
【００５８】
総合判定部８は、これら調整前画像及び調整後画像を同時に表示させた状態で、ステップＳＰ３に進んで、ユーザによってリモコン送信機６の操作部９における取消ボタン９Ｃが押下されたか否かを判断する。
【００５９】
このステップＳＰ３において肯定結果が得られた場合、このことはユーザが調整前画像のボリューム値に戻す意思があることを意味し、このとき総合判定部８は、ステップＳＰ４に進んで、当該各ボリューム値で解像度及びノイズ抑制量が調整された処理画像（調整前画像）を順次フレーム画像としてディスプレイ部５の表示画面に全面表示した後、そのままステップＳＰ５に進んで、当該ボリューム値調整処理手順ＲＴ１を終了する。
【００６０】
これに対してステップＳＰ３において否定結果が得られた場合、総合判定部８は、ステップＳＰ６に進んで、ユーザによってリモコン送信機６の操作部９における決定ボタン９Ｂが押下されたか否かを判断する。
【００６１】
このステップＳＰ６において肯定結果が得られた場合、このことはユーザが調整後画像の現在のボリューム値で満足したことを意味し、このとき総合判定部８は、ステップＳＰ７に進んで、現在のボリューム値をかかる調整後画像の解像度及びノイズ抑制量を表すボリューム値に変更した後、ステップＳＰ８に進んで、当該変更したボリューム値を操作履歴情報として操作履歴保持部２５に格納する。
【００６２】
そして総合判定部８は、ステップＳＰ４に進んで、調整変更が決定されたボリューム値で解像度及びノイズ抑制量が調整された処理画像（調整後画像）を順次フレーム画像としてディスプレイ部５の表示画面に全面表示させた後、そのままステップＳＰ５に進んで、当該ボリューム値調整処理手順ＲＴ１を終了する。
【００６３】
このように映像表示装置１では、クラス分類適応処理による画像変換処理を行う際に、解像度軸及びノイズ軸の各ボリューム値の調整を開始する前の調整前画像と、当該各ボリューム値の調整を実行中又は実行後の調整後画像とをディスプレイ部５の表示画面上に同時に表示させることができ、この結果、ユーザが容易に双方を同時に直接対比しながら画質調整を行うことができる。
【００６４】
この結果、ユーザは効率良くボリューム値の調整による画質調整を行うことができると共に、ユーザが個別の最も良いと判断した画質に対応するボリューム値を容易に見つけ出すことが可能となる。
【００６５】
さらにユーザが画質調整後の処理画像に満足したときのみ、リモコン送信機６の操作部９における決定ボタン９Ｂを押下するようにして、当該画質調整結果を出力画像に反映させるようにしたことにより、従来のような過去の操作履歴情報等を用いた信号処理を行う際にユーザの好みや意思に反した誤った操作履歴情報を保存するのを未然に防ぐことができる。
【００６６】
（２−２）情報量取得処理
また本実施の形態による映像表示装置１では、上述の第１及び第２のクラス分類適応処理部２１Ａ、２１Ｂにおいて、クラス分類適応処理による画像変換処理を行う際に、解像度軸及びノイズ軸の各ボリューム値が相異なる調整前画像及び調整後画像を合成して得られる合成画像を、ディスプレイ部５の表示画面にリアルタイムで同時に順次表示し得るようになされている。
【００６７】
このときディスプレイ部５の表示画面に表示される合成画像は、上述した第１及び第２の表示方法では、調整前画像及び調整後画像をそれぞれ半フレーム分ずつ合成して得られる画像であるため、当該調整前画像及び調整後画像のそれぞれ残る半フレーム分の画像は共にディスプレイ部５の表示画面に表示されない状態にある。
【００６８】
このため図１に示す映像表示装置１の信号処理部３において、差分特徴量抽出部２２は、調整前画像及び調整後画像のうち実際に表示されない画像部分を用いて、当該調整前画像及び調整後画像間の差分特徴量を抽出することができる。すなわち調整前画像及び調整後画像は、解像度軸及びノイズ軸の各ボリューム値が相異なるものの、同じフレーム画像に対してクラス分類適応処理による画像変換処理が施された画像同士であるため、双方の処理画像の全位置の画素に対して相異なるボリューム値で画質調整された画素が入っている。
【００６９】
従って、差分特徴量抽出部２２は、第１及び第２のクラス分類適応処理部２１Ａ、２１Ｂから供給される処理画像（調整前画像及び調整後画像）には、双方とも同じ位置の画素が２つ存在しているため、双方の処理画像の間で差分等の演算を行うことができる。
【００７０】
このようにして映像表示装置１では、信号処理部３内に複数のクラス分類適応処理部２１（２１Ａ、２１Ｂ、…）を設けたことにより、解像度軸及びノイズ抑制量のボリューム値を異なる値に調整した複数の処理画像について、互いの差分値の平均、分散、ダイナミックレンジ及び相関値等の差分特徴量をリアルタイムで算出することができる。この場合、リアルタイムとは、単一のクラス分類適応処理部が画像変換処理により１枚の処理画像を生成する速度と同じ速度をいう。
【００７１】
本実施の形態のように複数のクラス分類適応処理部２１（２１Ａ、２１Ｂ、…）を有する信号処理部３を用いることによって、従来のような単一のクラス分類適応処理部を用いて２画面表示を実現する場合と比較して、かかるリアルタイムの２倍の速度に処理速度を向上させる必要がなく、さらに１画面処理中であっても画質調整用のボリューム値を任意に切り換えることができるという利点がある。
【００７２】
（３）第２の実施の形態
（３−１）操作履歴情報を用いたボリューム値調整処理
第２の実施の形態では、上述した図１に示す映像表示装置１において、画質調整モードの選択時に、ユーザがリモコン送信機６を用いて解像度軸及びノイズ軸の各ボリューム値を相関性を保ちながら所望の値に調整する場合に、ユーザの過去の操作履歴情報を反映させて操作速度をより一層向上し得るようになされている。
【００７３】
この映像表示装置１の信号処理部３では、ボリューム空間を形成する２次元座標系では、解像度軸及びノイズ軸の各ボリューム値がそれぞれ256段階あり、通常、ユーザがリモコン送信機６の操作部９におけるカーソルボタン９Ａを所望方向に１回押下するごとに、１段階ずつ増減するようにステップ幅がデフォルトとして設定されている。
【００７４】
この第２の実施の形態では、ユーザの過去の操作履歴情報に応じて、カーソルボタン９Ａを１回押下するごとのボリューム値のステップ幅を増減変更させるようにして、ユーザが全ての段階に亘って１ステップ幅で増減させながら処理画像の変化を目視確認する煩雑さを回避し得るようになされている。
【００７５】
具体的には映像表示装置１の信号処理部３において、総合判定部８は、ユーザが過去に決定した調整後画像の解像度及びノイズ抑制量を表す各ボリューム値を操作履歴情報として操作履歴保持部２５に格納しておき、必要に応じて操作履歴情報を読み出して、ボリューム空間内における各ボリューム値と、当該各ボリューム値ごとにユーザが調整後画像として決定した回数との関係を表すマップ（以下、これを頻度マップと呼ぶ）を作成する。
【００７６】
この頻度マップは、ボリューム空間を形成する２次元座標系において、ユーザが調整後画像として決定した解像度軸及びノイズ軸の各ボリューム値を表す調整点が、今までにユーザによって何回決定されたことがあるかを頻度として表したものである。
【００７７】
総合判定部８は、頻度マップを作成する際に、ユーザの決定回数を複数種類の頻度レベルとして分類しておき、ユーザによって決定された調整点の決定回数がいずれの段階の頻度レベルに該当するかを判定し、当該調整点を表す各ボリューム値とその調整点の決定回数及び該当する頻度レベルとを操作履歴情報として操作履歴保持部２５に格納させる。
【００７８】
ここで上述した第１の実施の形態におけるボリューム値調整処理手順ＲＴ１（図７）のステップＳＰ８では、ユーザにより決定された調整後画像の解像度及びノイズ抑制量を表す各ボリューム値を操作履歴情報として操作履歴保持部２５に格納するが、第２の実施の形態では、総合判定部８は、図９に示す操作履歴保持処理手順ＲＴ２を実行することにより、当該各ボリューム値に上述した頻度マップに基づく決定回数及び該当する頻度レベルを付加した操作履歴情報を作成することができる。
【００７９】
図７に示すステップＳＰ６において調整後画像が決定されると、総合判定部８は、図９に示す操作履歴保持処理手順ＲＴ２をステップＳＰ１０から開始し、続くステップＳＰ１１に進んで、当該調整後画像の画質調整用の各ボリューム値を表す調整点に対応する操作履歴情報を読み出した後、当該操作履歴情報からその調整点の過去の決定回数ｎ（ｎは自然数）を抽出する。
【００８０】
続いて総合判定部８は、ステップＳＰ１２に進んで、決定された調整点の過去の決定回数ｎに１をインクリメントして決定回数を（ｎ＋１）と更新した後、当該調整点の操作履歴情報を操作履歴保持部２５に格納させる。
【００８１】
総合判定部８は、ステップＳＰ１３に進んで、決定された調整点の現在の決定回数（ｎ＋１）が第１の閾値ＴＨ１より小さいか、当該第１の閾値ＴＨ１以上第２の閾値ＴＨ２以下であるか、当該第２の閾値ＴＨ２より大きいかのいずれかを判断する。
【００８２】
このステップＳＰ１３において、総合判定部８は、決定された調整点の現在の決定回数（ｎ＋１）が、第１の閾値ＴＨ１より小さい場合には、ステップＳＰ１４に進んで、頻度レベルを「０」に設定する一方、第１の閾値ＴＨ１以上第２の閾値ＴＨ２以下の場合には、ステップＳＰ１５に進んで、頻度レベルを「１」に設定し、さらに第２の閾値ＴＨ２より大きい場合には、ステップＳＰ１６に進んで、頻度レベルを「２」に設定する。
【００８３】
これらステップＳＰ１４〜ＳＰ１６のいずれかを実行した後、総合判定部８は、ステップＳＰ１７に進んで、決定した調整点の現在の決定回数（ｎ＋１）に対応する頻度レベルを、当該調整点の操作履歴情報に含ませるように操作履歴保持部２５に格納させた後、そのままステップＳＰ１８に進んで当該操作履歴保持処理手順ＲＴ２を終了する。
【００８４】
その後、総合判定部８は、上述した図７に示すボリューム値調整処理手順ＲＴ１のステップＳＰ４に進んで、調整変更が決定されたボリューム値で解像度及びノイズ抑制量が調整された処理画像（調整後画像）を順次フレーム画像としてディスプレイ部５の表示画面に全面表示させた後、そのままステップＳＰ５に進んで、当該ボリューム値調整処理手順ＲＴ１を終了する。
【００８５】
このように第２の実施の形態では、操作履歴情報として、調整後画像の解像度及びノイズ抑制量を表す各ボリューム値のみならず、当該各ボリューム値に上述した頻度マップに基づく決定回数及び該当する頻度レベルを付加することができる。
【００８６】
次に映像表示装置１では、ユーザはリモコン送信機６を用いて画質調整を行う際に、かかる操作履歴情報を用いるようにして、解像度軸及びノイズ軸の各ボリューム値を比較的短時間で所望の値に到達し得るようになされている。
【００８７】
まずディスプレイ部５の表示画面に映像表示されている状態で、ユーザによるリモコン送信機６の操作により画質調整モードが選択されると、総合判定部８は、図１０に示すボリューム値調整処理手順ＲＴ２をステップＳＰ２０から開始し、続くステップＳＰ２１において、このうちユーザによって解像度軸及びノイズ軸の各ボリューム値の調整のための操作入力がされるのを待った後、ステップＳＰ２２に進む。
【００８８】
このステップＳＰ２２では、総合判定部８は、現在の調整後画像の画質調整用の各ボリューム値を表す調整点に対する操作履歴情報を操作履歴保持部２５から読み出した後、その調整点の決定回数に対する頻度レベルＬ（Ｌは自然数）を抽出する。
【００８９】
続いて総合判定部８は、ステップＳＰ２３に進んで、当該調整後画像の画質調整用の各ボリューム値を表す調整点の決定回数に対する頻度レベルＬが「０」、「１」又は「２」のいずれであるかを判断する。
【００９０】
このステップＳＰ２３において、総合判定部８は、現在の調整後画像の画質調整用の各ボリューム値を表す調整点の決定回数に対する頻度レベルＬが「０」の場合には、ステップＳＰ２４に進んで、画質調整用の各ボリューム値のステップ幅を「10」に設定する一方、「１」の場合には、ステップＳＰ２５に進んで、当該各ボリューム値のステップ幅を「５」に設定し、さらに「２」の場合には、ステップＳＰ２６に進んで、当該各ボリューム値のステップ幅を「１」に設定する。
【００９１】
すなわち総合判定部８は、リモコン送信機６の操作部９におけるカーソルボタン９Ａが１回押下されるごとの解像度軸及びノイズ軸の各ボリューム値の変化量を、該当する頻度レベルに対応するステップ幅に再設定する。
【００９２】
具体的には、総合判定部８は、ボリューム空間上でユーザの決定頻度が比較的高い領域（解像度軸及びノイズ軸の各ボリューム値の座標群）では、カーソルボタン９Ａの１回の押下動作に対してボリューム値のステップ幅を比較的細かく設定するのに対して、ユーザの決定頻度が比較的低い領域では、カーソルボタン９Ａの１回の押下動作に対してボリューム値のステップ幅を比較的荒く設定する。
【００９３】
やがて総合判定部８は、ステップＳＰ２７に進んで、該当する頻度レベルに対応するステップ幅で現在の調整点の各ボリューム値を加算又は減算して、次の調整点を決定する。
【００９４】
この後、総合判定部８は、ステップＳＰ２８から上述した図７に示すボリューム値調整処理手順ＲＴ１のステップＳＰ２と同様の処理を実行し、続くステップＳＰ２９〜ＳＰ３４の処理を図７に示すステップＳＰ３〜ＳＰ８の処理と同様に実行するようにして、図１０に示すボリューム値調整処理手順ＲＴ３を終了する。
【００９５】
このように第２の実施の形態では、ユーザがリモコン送信機６を用いて画質調整を行う際に、ボリューム空間上でユーザの決定頻度が高い領域ほど当該ボリューム値のステップ幅が細かく設定されることから、カーソルボタン９Ａを所望方向に押下するごとに、比較的短時間で解像度軸及びノイズ軸の各ボリューム値をユーザが所望する値に近づけることができると共に、当該所望する値の近傍では微調整することができる。
【００９６】
なお第２の実施の形態では、ボリューム空間上でユーザの決定頻度が高い領域ほど当該ボリューム値のステップ幅を細かく設定するようにした場合について述べたが、本発明はこれに限らず、ユーザの使用頻度に応じて変化させる量を、ボリューム軸ごとの頻度で変えるようにしても良い。すなわち解像度軸ごと及びノイズ軸ごとにヒストグラムを生成して、どちらかの軸によって変化量を変えるようにしても良い。
【００９７】
（４）第３の実施の形態
（４−１）表示領域の選択によるボリューム値調整処理
上述した第２の実施の形態では、操作履歴情報を有効に活用して、ユーザにとって最良のボリューム値に到達するのに要する時間を短縮し得るようにした場合について述べたが、第３の実施の形態では、映像表示装置１は、ディスプレイ部５の表示画面にボリューム空間を形成する２次元座標系を表示させておき、ユーザの選択に応じて表示領域を順次２分割しながらボリューム値を収束させることによって同様の効果を得ることができるようになされている。
【００９８】
まずディスプレイ部５の表示画面に映像表示されている状態で、ユーザによるリモコン送信機６の操作により画質調整モードが選択されると、総合判定部８は、図１１に示すボリューム値調整処理手順ＲＴ４をステップＳＰ４０から開始し、続くステップＳＰ４１において、このうちユーザによって解像度軸及びノイズ軸の各ボリューム値の調整のための操作入力がされるのを待った後、ステップＳＰ４２に進む。
【００９９】
このステップＳＰ４２において、総合判定部８は、ボリューム空間を形成する２次元座標系ＦＲにおいて、図１２（Ａ）に示すように、解像度軸及びノイズ軸の各ボリューム値を調整可能な全領域ＡＲを２分割しておき、当該各領域ＡＲ１、ＡＲ２の重心位置の各ボリューム値を、その領域を代表する調整点（以下、これを代表点と呼ぶ）となるように設定する。このとき総合判定部８は、これら２つの代表点の各ボリューム値で解像度及びノイズ抑制量が調整された処理画像を順次ディスプレイ部５の表示画面に２画面表示させる。
【０１００】
総合判定部８は、これら２つの処理画像を同時に表示させた状態で、ステップＳＰ４３に進んで、ユーザによってリモコン送信機６の操作部９における取消ボタン９Ｃが押下されたか否かを判断する。
【０１０１】
このステップＳＰ４３において肯定結果が得られた場合、このことはユーザが調整前の処理画像の各ボリューム値に戻す意思があることを意味し、このとき総合判定部８は、ステップＳＰ４４に進んで、当該各ボリューム値で解像度及びノイズ抑制量が調整された処理画像を順次フレーム画像としてディスプレイ部５の表示画面に全面表示した後、そのままステップＳＰ４５に進んで、当該ボリューム値調整処理手順ＲＴ４を終了する。
【０１０２】
これに対してステップＳＰ４３において否定結果が得られた場合、総合判定部８は、ステップＳＰ４６に進んで、ユーザによってリモコン送信機６の操作部９におけるカーソルキーが操作されて、いずれか一方の処理画像に対応する領域が選択されたか否かを判断する。
【０１０３】
このステップＳＰ４６において肯定結果が得られた場合、総合判定部８は、ステップＳＰ４７に進んで、ユーザによってリモコン送信機６の操作部９における決定ボタン９Ｂが押下されたか否かを判断する。
【０１０４】
このステップＳＰ４７において否定結果が得られた場合、総合判定部８は、これら２つの領域のうちユーザによって選択された領域ＡＲ１をさらに２分割して、当該各領域ＡＲ１１、ＡＲ１２の代表点を設定した後（図１２（Ｂ））、これら２つの代表点の各ボリューム値で解像度及びノイズ抑制量が調整された処理画像を順次ディスプレイ部５の表示画面に２画面表示させる。
【０１０５】
そして総合判定部８は、再度ステップＳＰ４３に戻って、取消ボタン９Ｃが押下されるか、続くステップＳＰ４７において決定ボタン９Ｂが押下されるまで、上述と同様の処理を繰り返す。すなわち図１２（Ｂ）に示す２つの領域ＡＲ１１、ＡＲ１２のうち、いずれかの領域のうち指定された方の領域ＡＲ１１を領域ＡＲ１１１、ＡＲ１１２に２分割してそれぞれ代表点を設定し（図１２（Ｃ））、さらに指定された方の領域ＡＲ１１１を領域ＡＲ１１１１、ＡＲ１１１２に２分割してそれぞれ代表点を設定する（図１２（Ｄ））といった領域の収束設定を繰り返す。
【０１０６】
実際に本実施の形態によるボリューム空間を形成する２次元座標系ＦＲでは、領域選択を２択方式で処理を行うことにより、ユーザによる１回の選択によって領域が半分に絞られる（すなわち候補が半分に減る）ことから、16回の選択で１つのボリューム値の代表点が決定されることになる。
【０１０７】
これに対してステップＳＰ４７において肯定結果が得られた場合、このことはユーザによって選択された領域の代表点が解像度軸及びノイズ軸の各ボリューム値の収束された値に相当することを意味し、このとき総合判定部８は、ステップＳＰ４９に進んで、現在の処理画像の解像度軸及びノイズ軸の各ボリューム値を、当該代表点の各ボリューム値に変更した後、ステップＳＰ４４に進む。
【０１０８】
このステップＳＰ４４において、総合判定部８は、調整変更が決定されたボリューム値で解像度及びノイズ抑制量が調整された処理画像を順次フレーム画像としてディスプレイ部５の表示画面に全面表示させた後、そのままステップＳＰ４５に進んで、当該ボリューム値調整処理手順ＲＴ４を終了する。
【０１０９】
このようにボリューム空間を形成する２次元座標系を２つの領域に分割して、当該各領域の代表点における各ボリューム値の調整結果を２枚の処理画像として同時に画面表示し、ユーザが所望する処理画像を選択するごとに、ボリューム空間内の領域を狭めていくように収束させることにより、全段階（65536段階）の処理画像を全て目視するといったユーザの手間を軽減させることができるようになされている。
【０１１０】
（５）第４の実施の形態
（５−１）特徴量に基づき操作履歴情報を用いたボリューム値調整処理
第４の実施の形態では、上述した図１に示す映像表示装置１において、画質調整モードの選択時に、ユーザがリモコン送信機６を用いて解像度軸及びノイズ軸の各ボリューム値を相関性を保ちながら所望の値に調整する場合に、順次入力されるフレーム画像から抽出した特徴量と過去の操作履歴情報との関連から得られる所定の規則性に基づいて、ユーザによる操作の負担を一層軽減し得るようになされている。
【０１１１】
この第４の実施の形態では、特徴量としてダイナミックレンジ（ＤＲ）を用いる場合について説明する。このダイナミックレンジは、被写体の明るさをどの程度まで再現できるかを評価する際に使用され、100〔％〕入射光量に対してその何倍の光量まで再現できるかを数値で表したものである。
【０１１２】
まずディスプレイ部５の表示画面に映像表示されている状態で、ユーザによるリモコン送信機６の操作により画質調整モードが選択されると、総合判定部８は、図１３に示す操作履歴保持処理手順ＲＴ５をステップＳＰ６０から開始し、続くステップＳＰ６１において、順次入力されるフレーム画像から特徴量としてダイナミックレンジの値を算出しながら、ステップＳＰ６２に進んで、ユーザによって解像度軸及びノイズ軸の各ボリューム値の調整のための操作入力がされるのを待った後、ステップＳＰ６３に進む。
【０１１３】
このステップＳＰ６３では、総合判定部８は、第１及び第２のクラス分類適応処理部２１Ａ、２１Ｂ（図１）を介して画像変換してなる調整前画像及び調整後画像をビデオメモリ部４を介してそれぞれ１フレームの半分のサイズに切り取って合成した後、得られた合成画像をディスプレイ部５の表示画面に表示させる。
【０１１４】
続いて総合判定部８は、これら調整前画像及び調整後画像を同時に表示させた状態で、ステップＳＰ６４に進んで、ユーザによってリモコン送信機６の操作部９における取消ボタン９Ｃが押下されたか否かを判断する。
【０１１５】
このステップＳＰ６４において肯定結果が得られた場合、このことはユーザが調整前画像のボリューム値に戻す意思があることを意味し、このとき総合判定部８は、そのままステップＳＰ６５に進んで、当該操作履歴保持処理手順ＲＴを終了する。
【０１１６】
これに対してステップＳＰ６４において否定結果が得られた場合、総合判定部８は、ステップＳＰ６６に進んで、ユーザによってリモコン送信機６の操作部９における決定ボタン９Ｂが押下されたか否かを判断する。
【０１１７】
このステップＳＰ６６において肯定結果が得られた場合、このことはユーザが調整後画像の現在のボリューム値で満足したことを意味し、このとき総合判定部８は、ステップＳＰ６７に進んで、当該決定ボタン９Ｂの押下時に算出したフレーム画像のダイナミックレンジの値を特徴量履歴保持部２４（図１）に格納すると共に、当該調整後画像の画質調整用の各ボリューム値を表す調整点に対応する操作履歴情報を操作履歴保持部２５（図１）から読み出した後、当該操作履歴情報からその調整点の過去の決定回数ｎ（ｎは自然数）を抽出する。
【０１１８】
一方、ステップＳＰ６６において否定結果が得られた場合、総合判定部８は、再度ステップＳＰ６１に戻って上述と同様の処理を繰り返す。
【０１１９】
続いて総合判定部８は、ステップＳＰ６８に進んで、決定された調整点の過去の決定回数ｎに１をインクリメントして決定回数を（ｎ＋１）と更新した後、当該調整点の操作履歴情報を操作履歴保持部２５に格納させる。
【０１２０】
総合判定部８は、ステップＳＰ６９に進んで、ダイナミックレンジが所定の閾値ＴＨＤＲ未満の値で、かつ調整点の現在の決定回数が最多のもの（すなわち頻度が最も高いもの）に対応する解像度軸及びノイズ軸の各ボリューム値（以下、これを第１の頻度最多ボリューム値と呼ぶ）を、当該調整点の操作履歴情報に含ませるように操作履歴保持部２５に格納させた後、そのままステップＳＰ７０に進む。
【０１２１】
このステップＳＰ７０において、総合判定部８は、ダイナミックレンジが所定の閾値ＴＨＤＲ以上の値で、かつ調整点の現在の決定回数が最多のもの（すなわち頻度が最も高いもの）に対応する解像度軸及びノイズ軸の各ボリューム値（以下、これを第２の頻度最多ボリューム値と呼ぶ）を、当該調整点の操作履歴情報に含ませるように操作履歴保持部２５に格納させた後、そのままステップＳＰ７１に進む。
【０１２２】
このステップＳＰ７１において、総合判定部８は、第１及び第２の頻度最多ボリューム値とこれらの決定回数とを操作履歴保持部２５に格納した後、ステップＳＰ６５に進んで、当該操作履歴保持処理手順ＲＴ５を終了する。
【０１２３】
このように第４の実施の形態では、決定された調整後画像の解像度軸及びノイズ軸の各ボリューム値を表す調整点に対する操作履歴情報に、その調整点の第１及び第２の頻度最多ボリューム値及びこれらの決定回数を付加することができる。
【０１２４】
次に映像表示装置１では、ユーザはリモコン送信機６を用いて画質調整を行う際に、入力されたフレーム画像から抽出した特徴量と過去の操作履歴情報との関連から得られる所定の規則性に基づいて、解像度軸及びノイズ軸の各ボリューム値を比較的短時間で所望の値に到達し得るようになされている。
【０１２５】
まずディスプレイ部５の表示画面に映像表示されている状態で、ユーザによるリモコン送信機６の操作により画質調整モードが選択されると、総合判定部８は、図１４に示すボリューム値調整処理手順ＲＴ６をステップＳＰ８０から開始し、続くステップＳＰ８１において、順次入力されるフレーム画像から特徴量としてダイナミックレンジの値を算出しながら、ステップＳＰ８２に進んで、当該ダイナミックレンジの値が所定の閾値ＴＨＤＲ未満か又は以上かを判断する。
【０１２６】
このステップＳＰ８２において、ダイナミックレンジの値が閾値ＴＨＤＲ未満である場合には、総合判定部８は、ステップＳＰ８３に進んで、現在の調整後画像の画質調整用の各ボリューム値を表す調整点に対する操作履歴情報を操作履歴保持部２５（図１）から読み出した後、第１の頻度最多ボリューム値とこれに対応する調整点の決定回数とを抽出する。
【０１２７】
続いて総合判定部８は、ステップＳＰ８４に進んで、当該調整後画像の画質調整用の各ボリューム値を表す調整点の決定回数が所定の閾値ＴＨＤＲより大きいか否かを判断し、肯定結果が得られた場合には、ステップＳＰ８５に進んで、各ボリューム値を第１の頻度最多ボリューム値に変更する一方、否定結果が得られた場合には、再度ステップＳＰ８１に戻って上述と同様の処理を繰り返す。
【０１２８】
これに対してステップＳＰ８２において、ダイナミックレンジの値が閾値ＴＨＤＲ以上である場合には、総合判定部８は、ステップＳＰ８６に進んで、現在の調整後画像の画質調整用の各ボリューム値を表す調整点に対する操作履歴情報を操作履歴保持部２５（図１）から読み出した後、第２の頻度最多ボリューム値とこれに対応する調整点の決定回数とを抽出する。
【０１２９】
続いて総合判定部８は、ステップＳＰ８７に進んで、当該調整後画像の画質調整用の各ボリューム値を表す調整点の決定回数が所定の閾値ＴＨより大きいか否かを判断し、肯定結果が得られた場合には、ステップＳＰ８８に進んで、各ボリューム値を第２の頻度最多ボリューム値に変更する一方、否定結果が得られた場合には、再度ステップＳＰ８１に戻って上述と同様の処理を繰り返す。
【０１３０】
やがて総合判定部８は、ステップＳＰ８９において、調整変更が決定された第１又は第２の頻度最多ボリューム値で解像度及びノイズ抑制量が調整された処理画像（調整後画像）を順次フレーム画像としてディスプレイ部５の表示画面に全面表示させた後、再度上述したステップＳＰ８１に戻って、ユーザからの終了の操作があるまで、入力されるフレーム画像を順次監視しながら上述と同様の処理を繰り返す。
【０１３１】
このように第４の実施の形態では、ユーザがリモコン送信機６を用いて画質調整を行う際に、入力されたフレーム画像のダイナミックレンジが比較的小さいときには、ユーザは第１の頻度最多ボリューム値を使用する頻度が高い一方、ダイナミックレンジが比較的大きいときには、ユーザは第２の頻度最多ボリューム値を使用する頻度が高いといった規則性を自動的に判断することにより、ユーザが最も好む画質に調整された処理画像をユーザが意識することなく比較的短時間で得ることができる。
【０１３２】
なお第４の実施の形態においては、入力されるフレーム画像のうち任意の一部のみの画像部分に対して、上述のような規則性に基づく自動判断処理を行い、出力画像のうち当該画像部分ごとにユーザにとって適切なボリューム値で画質調整するようにした処理画像を表示させるようにしても良い。
【０１３３】
（６）第１〜第４の実施の形態による動作及び効果
まず第１の実施の形態の構成において、映像表示装置１では、クラス分類適応処理による画像変換処理を行う際に、解像度軸及びノイズ軸の各ボリューム値の調整を開始する前の調整前画像と、当該各ボリューム値の調整を実行中又は実行後の調整後画像とをディスプレイ部５の表示画面上に同時に表示させるようにして、ユーザが容易に双方を同時に直接対比しながら画質調整を行い得るようにしたことにより、ユーザは効率良くボリューム値の調整による画質調整を行うことができると共に、ユーザが個別の最も良いと判断した画質に対応するボリューム値を容易に見つけ出すことができる。
【０１３４】
またユーザが画質調整後の処理画像に満足したときのみ、リモコン送信機６の操作に基づき画質調整結果を出力画像に反映させるようにしたことにより、従来のような過去の操作履歴情報等を用いた信号処理を行う際にユーザの好みや意思に反した誤った操作履歴情報を保存するのを未然に防ぐことができる。
【０１３５】
さらに映像表示装置１では、信号処理部３内に複数のクラス分類適応処理部２１（２１Ａ、２１Ｂ、…）を設けたことにより、解像度軸及びノイズ抑制量のボリューム値を異なる値に調整した複数の処理画像について、互いの差分値の平均、分散、ダイナミックレンジ及び相関値等の差分特徴量をリアルタイムで算出するようにしたことにより、従来のような単一のクラス分類適応処理部を用いて２画面表示を実現する場合と比較して、かかるリアルタイムの２倍の速度に処理速度を向上させる必要がなく、さらに１画面処理中であっても画質調整用のボリューム値を任意に切り換えることができる。
【０１３６】
そして第２の実施の形態の構成において、ユーザがリモコン送信機６を用いて画質調整を行う際に、ボリューム空間上でユーザの決定頻度が高い領域ほど当該ボリューム値のステップ幅を細かく設定するようにしたことにより、ユーザがカーソルボタン９Ａを所望方向に押下するごとに、比較的短時間で解像度軸及びノイズ軸の各ボリューム値をユーザが所望する値に近づけることができると共に、当該所望する値の近傍では微調整することができる。
【０１３７】
また第３の実施の形態の構成において、ボリューム空間を形成する２次元座標系を２つの領域に分割して、当該各領域の代表点における各ボリューム値の調整結果を２枚の処理画像として同時に画面表示し、ユーザが所望する処理画像を選択するごとに、ボリューム空間内の領域を狭めていくように収束させるようにしたことにより、かかる２次元座標内で各ボリューム値を解像度軸方向及びノイズ軸方向の全段階を全て処理画像を目視しながら調整しなけらればならないといったユーザの手間を格段的に軽減させることができる。
【０１３８】
さらに第４の実施の形態の構成において、ユーザがリモコン送信機６を用いて画質調整を行う際に、入力されたフレーム画像のダイナミックレンジが比較的小さいときには、ユーザは第１の頻度最多ボリューム値を使用する頻度が高い一方、ダイナミックレンジが比較的大きいときには、ユーザは第２の頻度最多ボリューム値を使用する頻度が高いといった規則性を自動的に判断するようにしたことにより、ユーザが最も好む画質に調整された処理画像をユーザが意識することなく比較的短時間で得ることができる。
【０１３９】
（７）他の実施の形態
なお上述のように第１〜第４の実施の形態においては、本発明を図１に示すような映像表示装置を適用するようにした場合について述べたが、本発明はこれに限らず、供給される映像信号に基づく映像に所定の映像処理を施す映像処理装置に広く適用することができる。
【０１４０】
また上述のように第１〜第４の実施の形態においては、映像を形成する各フレーム画像ごとに、当該各フレーム画像に対して複数系統でそれぞれ画像変換処理を行う複数の画像変換処理手段として、図１に示す信号処理部３に設けられた複数のクラス分類適応処理部２１（２１Ａ、２１Ｂ、…）を適用するようにした場合について述べたが、本発明はこれに限らず、この他の画像変換処理に応じた種々の構成からなる複数の画像変換処理手段に広く適用するようにしても良い。
【０１４１】
さらに上述のように第１〜第４の実施の形態においては、複数のクラス分類適応処理部（画像変換処理手段）２１からそれぞれ画像変換処理の結果として順次得られる処理画像を、当該複数の処理画像の全部又は一部が全て表示画面内に同時に収まるようにフレーム単位で順次表示する映像表示手段として、図１に示す映像表示装置１内のディスプレイ部５を適用するようにした場合について述べたが、本発明はこれに限らず、この他種々の構成からなる映像表示手段に広く適用するようにしても良い。
【０１４２】
さらに上述のように第１〜第４の実施の形態においては、ディスプレイ部（映像表示手段）５に同時に映像表示される複数の処理画像のうち、外部操作によりいずれかの処理画像を指定すると共に、当該指定された処理画像の画質調整の度合いを表すボリューム値を決定するための操作入力手段として、映像表示装置１とワイヤレス接続されたリモート送信機６を適用するようにした場合について述べたが、本発明はこれに限らず、当該リモコン送信機６に設けられた操作パネル等を映像表示装置１に直接搭載するようにしても良い。
【０１４３】
さらに上述のように第１〜第４の実施の形態においては、リモート送信機（操作入力手段）６を介して指定された処理画像を、当該処理画像に対して決定されたボリューム値に設定して画質調整した後、ディスプレイ部（映像表示手段）５にフレーム単位で順次表示させる表示設定手段を、図１に示す信号処理部３に設けられた総合判定部８及び複数のクラス分類適応処理部２１とビデオメモリ部４とから構成するようにした場合について述べたが、本発明はこれに限らず、この他種々の構成からなる表示設定手段に広く適用するようにしても良い。
【０１４４】
さらに上述のように第２の実施の形態においては、かかる表示設定手段（主として総合判定部８）は、複数種類の画質調整が可能なボリューム空間において、当該各画質調整の度合いを表すボリューム値のうち、リモート送信機（操作入力手段）６を介して決定された各ボリューム値の回数を頻度として記憶する操作履歴保持部（記憶手段）２５を有し、リモート送信機（操作入力手段）６を介して所望の各ボリューム値が決定されたとき、操作履歴保持部（記憶手段）２５から当該各ボリューム値の頻度を読み出して、当該頻度が高いほど各ボリューム値のステップ幅を細かく設定する一方、当該頻度が低いほど各ボリューム値のステップ幅を荒く設定するようにした場合について述べたが、本発明はこれに限らず、要は、ユーザがボリューム値の調整するための所定操作を行うごとに、比較的短時間で画質調整の度合いを表すボリューム値をユーザが所望する値に近づけることができると共に、当該所望する値の近傍では微調整することができれば、この他種々の構成のものを用いて各ボリューム値のステップ幅を調整するようにしても良い。
【０１４５】
さらに上述のように第３の実施の形態においては、かかる表示設定手段（主として総合判定部８）は、複数種類の画質調整が可能なボリューム空間において、当該各画質調整に対応するボリューム値を変化させるための２本の調整軸からなる２次元座標系（多次元座標系）を２つの領域に分割しておき、当該各領域の代表点における各ボリューム値に設定して画質調整し、ディスプレイ部（映像表示手段）５は、各ボリューム値でそれぞれ画質調整された２枚の処理画像を表示画面に同時に順次表示し、２枚の処理画像のうちいずれかの処理画像がリモート送信機（操作入力手段）６を介して指定されるごとに、当該処理画像に該当する領域をさらに２つに分割して２次元座標系（多次元座標系）内の領域を狭めるようにして各ボリューム値を収束させるようにした場合について述べたが、本発明はこれに限らず、３次元座標系において３本の調整軸を用いるようにしても良く、また多次元座標系の分割領域の数も３以上にするようにしても良く、要は、各ボリューム値を画質調整用の調整軸方向の全段階を全て処理画像を目視しながら調整しなけらればならないといったユーザの手間を格段と軽減させることができれば、この他種々の構成のものに広く適用することができる。
【０１４６】
さらに上述のように第４の実施の形態においては、映像を形成する各フレーム画像ごとに特徴量を順次抽出する特徴量抽出部（特徴量抽出手段）２０と、複数種類の画質調整が可能なボリューム空間において、当該各画質調整の度合いを表すボリューム値のうち、リモート送信機（操作入力手段）６を介して決定された各ボリューム値の回数を頻度として記憶する操作履歴保持部（記憶手段）２５と、特徴量抽出部（特徴量抽出手段）２０から抽出された各フレーム画像の特徴量と、操作履歴保持部（記憶手段）２５に記憶されている各ボリューム値とに基づく規則性を判断する総合判定部（判断手段）８とを設け、総合判定部（判断手段）８は、規則性に基づいて、操作履歴保持部（記憶手段）２５から特徴点に対応する各ボリューム値を選択的に読み出すようにした場合について述べたが、本発明はこれに限らず、特徴量としてはダイナミックレンジ以外にも、フレーム画像の平均及び分散といった統計的な量や、自己相関、ヒストグラム、さらにはフレーム画像中の任意の勾配以上のエッジの数等に広く適用することができ、要は、ユーザが最も好む画質に調整された処理画像をユーザが意識することなく比較的短時間で得ることができれば、この他種々の構成のものに広く適用することができる。
【産業上の利用可能性】
【０１４７】
本発明は、映像処理装置及び映像処理方法において、テレビ受信機の他、映像表示が可能な表示画面を有する他の表示装置等の映像機器に広く適用することができる。
【図面の簡単な説明】
【０１４８】
【図１】本実施の形態による映像表示装置の構成を示すブロック図である。
【図２】図１に示すリモコン送信機の外観構成を示す略線図である。
【図３】図２に示すリモコン送信機の内部構成を示すブロック図である。
【図４】ボリューム空間を形成する２次元座標系の説明に供する略線的な平面図である。
【図５】合成画像の生成の説明に供する略線的な平面図である。
【図６】図１に示すクラス分類適応処理部の内部構成を示すブロック図である。
【図７】第１の実施の形態におけるボリューム値調整処理手順の説明に供するフローチャートである。
【図８】合成画像の表示方法の説明に供する略線的な平面図である。
【図９】第２の実施の形態における操作履歴保持処理手順の説明に供するフローチャートである。
【図１０】第２の実施の形態におけるボリューム値調整処理手順の説明に供するフローチャートである。
【図１１】第３の実施の形態におけるボリューム値調整処理手順の説明に供するフローチャートである。
【図１２】ボリューム空間内の領域選択によるボリューム値の収束状態の説明に供する概念図である。
【図１３】第４の実施の形態における操作履歴保持処理手順の説明に供するフローチャートである。
【図１４】第４の実施の形態におけるボリューム値調整処理手順の説明に供するフローチャートである。
【符号の説明】
【０１４９】
１……映像表示装置、２……映像入力部、３……信号処理部、４……ビデオメモリ部、５……ディスプレイ部、６……リモコン送信機、７……受信回路、８……総合判定部、９……操作部、９Ａ……カーソルボタン、９Ｂ……決定ボタン、９Ｃ……取消ボタン、１１……ＣＰＵ、２０……特徴量抽出部、２１（２１Ａ、２１Ｂ、…）…クラス分類適応処理部、２２……差分特徴量抽出部、２３（２３Ａ、２３Ｂ、…）…特徴量抽出部、２４……特徴量履歴保持部、２５……操作履歴保持部、ＲＴ１、ＲＴ３、ＲＴ４、ＲＴ６……ボリューム値調整処理手順、ＲＴ２、ＲＴ５……操作履歴保持処理手順。
【図１】
2005328395.tif 000003
【図２】
2005328395.tif 000004
【図３】
2005328395.tif 000005
【図４】
2005328395.tif 000006
【図５】
2005328395.tif 000007
【図６】
2005328395.tif 000008
【図７】
2005328395.tif 000009
【図８】
2005328395.tif 000010
【図９】
2005328395.tif 000011
【図１０】
2005328395.tif 000012
【図１１】
2005328395.tif 000013
【図１２】
2005328395.tif 000014
【図１３】
2005328395.tif 000015
【図１４】
2005328395.tif 000016